(57)【要約】      （修正有）【課題】ブロー成形した容器の口に、より安定した態様でしっかりと留めることのできるワイパ装置を提供する。【解決手段】ブロー成形した容器用のワイパ装置１であって、第１の開口及び第２の開口４Ａをそれぞれ構成する第１の端及び第２の端を有する中空の本体２と、第１の端において中空の本体の外面２Ａから延びるフランジ５と、中空の本体の内面から延びるワイパ要素を備え、ワイパ要素が第１及び第２の開口４Ａの断面よりも断面の小さい出入口を構成しているワイパ装置において、中空の本体が、ワイパ装置をブロー成形した容器にしっかりと留める少なくとも２個の局所隆起部１０Ａを特徴とし、前記局所隆起部が、中空の本体の第２の端の近傍において、ワイパ装置の外面から突出していることを特徴とするワイパ装置。【選択図】図１
2019122754.tif 000002
【特許請求の範囲】
【請求項１】
ブロー成形したガラス又はプラスチック容器用のワイパ装置であって、第１の開口（３Ａ）及び第２の開口（４Ａ）をそれぞれ構成する第１の端（３）及び第２の端（４）を有する中空の本体（２）と、第１の端（３）において中空の本体（２）の外面（２Ａ）から延びるフランジ（５）と、中空の本体の内面（２Ｂ）から延びるワイパ要素（６）を備え、ワイパ要素（６）が第１及び第２の開口（３Ａ、４Ａ）の断面よりも断面の小さい出入口（６Ａ）を構成しているワイパ装置において、中空の本体（２）が、ワイパ装置を容器にしっかりと留める少なくとも２個の局所隆起部（１０Ａ、１０Ｂ）を備え、前記局所隆起部が、中空の本体の第２の端（４）の近傍において、ワイパ装置の外面（２Ａ）から突出しており、中空の本体（２）が、前記第２の端（４）の自由端部（４Ｂ）に少なくとも１個の開いた窓（７）を備え、局所隆起部（１０Ａ）が、少なくとも１個の開いた窓（７）も配置されている中空の本体の外面における帯域（Ｆ）に少なくとも部分的に位置しており、前記帯域（Ｆ）は、前記少なくとも１個の開いた窓と同じ高さ（ｈ）を有しており、少なくとも１個の開いた窓（７）と少なくとも１個の局所隆起部（１０Ａ、１０Ｂ）は、角度的に間隔を置いて配置されていることを特徴とするワイパ装置。
【請求項２】
少なくとも１個の開いた窓（７）と少なくとも１個の局所隆起部（１０Ａ、１０Ｂ）が、２０°〜４５°の間の角度又は４５°の角度で角度的に間隔を置いて配置されている請求項１に記載の装置。
【請求項３】
直径方向に向かい合う２個の開いた窓（７）が設けられている及び／又は４個の局所隆起部（１０Ａ、１０Ｂ、１０Ｃ、１０Ｄ）が、２個ずつ直径方向に向かい合って設けられている請求項１又は２に記載の装置。
【請求項４】
４個の局所隆起部が、９０°で角度的に間隔を置いて配置されている請求項３に記載の装置。
【請求項５】
中空の本体（２）の内面が、少なくとも１個のリブ（Ｉ）を有している及び／又はリブが、開いた窓から９０°だけ角度的に間隔を置いて配置されている請求項１〜４の何れか１に記載の装置。
【請求項６】
局所隆起部（１０Ａ、１０Ｂ、１０Ｃ、１０Ｄ）が、ドロップ形状及び／又は球状キャップの形状を有している請求項１〜５の何れか１に記載の装置。
【請求項７】
ワイパ要素（６）が、一端にワイパ要素の出入口（６Ａ）が配置された円錐台状の面に形成された少なくとも１個の開口（１８）を備え、開口（１８）は、拭った流体の残りを流出させるように構成されている請求項１〜６の何れか１に記載の装置。
【請求項８】
ワイパ装置の外面が、ワイパ装置が容器の口に取り付けられた時に、漏れ止めを形成するように構成されている請求項１〜７の何れか１に記載の装置。
【請求項９】
中空の本体の外面は、一体に形成されて前記帯域（Ｆ）の外側に配置された少なくとも１個の突出した封止リングを有している請求項１〜８の何れか１に記載の装置。
【発明の詳細な説明】
【技術分野】
【０００１】
本発明は、ワイパ装置に関する。
【０００２】
特に、本発明は、ブロー成形したガラス又はプラスチックからなる容器に取り付ける点滴ピペット、マスカラブラシ、リップグロスブラシ又はマニキュアブラシ用のワイパ装置に関する。
【背景技術】
【０００３】
化粧品分野及び医療分野では、所要量を小出しにする流体を内部に入れる容器が周知である。前記流体には、皺取り液、フェイスローション又はボディローション、或いは化粧品及びメーキャップ市場用の製品、例えば、ファンデーション、リップグロス、リキッドリップスティック、マスカラ、コンシーラ、目元用プライマ、及び口元用プライマ等がある。
【０００４】
これらの容器には、封止用のキャップが備わっている。
【０００５】
ある用途においては、封止用のキャップは、上部に弾性部材を備えた滴下手段に取り付けられ、瓶の内部から流体を取り出して効果的かつ局所的に使用できるようにしている。弾性部材が押圧されると、滴下手段の内部（特に、ピペットと呼ばれる滴下手段の構成要素の内部）に過圧が生じ、それにより、ピペット内に入っている製品が排出される。
【０００６】
弾性部材に加わる圧力を取り除くと、ピペットの内部に真空状態が生じ、この真空状態は、ピペットが流体に浸されていると、流体がピペット内に吸い込まれるようにし、こうして次の所要量を小出しにする流体を用意する。
【０００７】
ピペットは、使用に際して、流体に浸されるので、ピペットは、外側が濡れており、使用中、望ましくない態様で滴が垂れ下り、所要量で小出しにされる製品の用量を変えてしまうことがある。これは、許容することができないので、最先端のシステムにおいては、「ワイパ」として知られる手段が、瓶の口に取り付けられ、ワイパは、ピペットを瓶から取り出すのと同時に、ピペットの外側をきれいに拭く。
【０００８】
他の用途においては、半硬質の要素が一端に固定された軸（ｓｔｅｍ）が封止用キャップに取り付けられ、前記塗布手段は、製品を特定の位置に集中させ、製品の局所的な塗布を可能にする。異なる塗布手段の構成が、触感（ｔｅｘｔｕｒｅ）を多様化させる可能性も伴いながら、異なる領域への塗布を可能にする。
【０００９】
先行技術によるワイパは、非常に単純で、通常、締まり嵌めによって容器の口にしっかりと留められる管状部材を備えている。管状部材は内部に、より小さな断面を有する通路を備えており、この通路の断面は、ピペットの外寸に応じて大きさが決められる。したがって、ピペットが、より小さな断面を有する通路内を移動すると、ピペットの外側に付着した液体は、ワイパ要素によって止まり、容器内に戻る。
【００１０】
先行技術によるワイパ装置は、プラスチックからなっている。前記ワイパ装置を、同様に射出ブロー成形プラスチック又は射出延伸ブロー成形プラスチックからなるプラスチック容器に取り付けなければならない場合には、連結公差を慎重に加減する（ｓｃａｌｅ）だけで、ワイパ要素と容器との間の良好な封止と、容器内におけるワイパ装置の安定した長続きする配置が得られる。
【００１１】
これは、上述の技術を用いてプラスチック容器を製造する間、容器の口において得ることのできる寸法公差が非常に良好であり、したがって、ワイパ装置をしっかりと留めるのに、更なる変更が不要だからである。
【００１２】
しかしながら、ワイパ装置が取り付けられる容器が、従来のブロー成形技術を用いて成形されたガラス又はプラスチックからなる場合には、ガラス又はプラスチックをブロー成形した場合に得られる寸法公差は、先に述べた技術を用いて得られる寸法公差ほど良好ではないので、事はより複雑になる。
【００１３】
その結果、従来の方法を用いて、ワイパ要素をブロー成形したガラス又はプラスチック容器に安定的に取り付けることは不可能である。というよりは、ワイパを、同じ生産バッチに由来する全てのガラス又はプラスチック容器に対して、安定的に取り付けることは不可能である。
【００１４】
これは、ある容器においては、ワイパ要素によって「許容される」よりも口が広く、時間と共に、ワイパ要素が容器の口から滑り出る傾向があるからである。これは、受け入れることができない。公知のように、ブロー成形によって製造された容器は、製品の質が長時間にわたって最高レベルのままでなければならない高級品市場に向けられているからである。
【発明の概要】
【発明が解決しようとする課題】
【００１５】
本発明の目的は、先行技術によるワイパ装置を用いるよりも安定した態様で、ブロー成形した容器の口にしっかりと留めることのできるワイパ装置を提供することである。
【００１６】
本発明のさらに別の目的は、ブロー成形したガラス又はプラスチック容器、したがって、他の方法を用いて得られるガラス又はプラスチック容器よりも公差が厳しくないガラス又はプラスチック容器にも安定した態様でしっかりと留めることのできるワイパ装置を提供することである。
【課題を解決するための手段】
【００１７】
本発明のこれらの目的及び他の目的は、ブロー成形したガラス又はプラスチック容器用のワイパ装置であって、第１の開口及び第２の開口をそれぞれ構成する第１の端及び第２の端を有する中空の本体と、第１の端において中空の本体の外面から延びるフランジと、中空の本体の内面から延びるワイパ要素を備え、ワイパ要素が第１及び第２の開口の断面よりも断面の小さい出入口を構成しているワイパ装置において、中空の本体が、ワイパ装置を容器にしっかりと留める少なくとも２個の局所隆起部を備え、前記局所隆起部が、中空の本体の第２の端の近傍において、ワイパ装置の外面から突出しており、中空の本体が、前記第２の端の自由端部に少なくとも１個の開いた窓を備え、局所隆起部が、少なくとも１個の開いた窓も配置されている中空の本体の外面における帯域に少なくとも部分的に位置しており、前記帯域は、前記少なくとも１個の開いた窓と同じ高さを有しており、少なくとも１個の開いた窓と少なくとも１個の局所隆起部は、角度的に間隔を置いて配置されていることを特徴とするワイパ装置によって達成される。
【００１８】
本発明の更なる特徴及び利点を、本明細書に添付の図面に非限定の例示として示された、本発明によるワイパ装置の好ましいが排除的でない実施の形態の説明において明らかにする。
【図面の簡単な説明】
【００１９】
【図１】本発明によるワイパ装置を下から見た斜視図である。
【図２】図１のワイパ装置を下から見た平面図である。
【図３】図２の線ＩＩＩ−ＩＩＩにおける断面図である。
【図４】図２の線ＩＶ−ＩＶにおける断面図である。
【図５】図２の線Ｖ−Ｖにおける断面図である。
【図６】本発明によるワイパ装置が容器の口に挿入された状態の、図２における線ＩＩＩ−ＩＩＩに沿う簡略断面図である。
【図７】本発明によるワイパ装置が容器の口に挿入された状態の、図２における線ＩＶ−ＩＶに沿う簡略断面図である。
【発明を実施するための形態】
【００２０】
上記の図面を参照すると、ワイパ装置を全体として示すのに、参照符号１が用いられている。
【００２１】
ワイパ装置１は、ブロー成形されたプラスチック又はブロー成形されたガラスからなる容器２０に挿入される構成になっている。
【００２２】
容器２０内には、ピペット３１を備えた滴下手段３０（図６参照）により所要量を小出しにされる又は計量して供給される流体が入っている。
【００２３】
ワイパ装置１は、それぞれ第１の開口３Ａ及び第２の開口４Ａを構成する第１の端３及び第２の端４を有する中空の本体２を備えている。第１の端には、フランジ５が設けられ、このフランジは、中空の本体２の外面２Ａから延びている。
【００２４】
さらに、ワイパ要素６が設けられ、このワイパ要素は、中空の本体２の内面２Ｂから延びている。
【００２５】
図１から分かるように、ワイパ要素６は、中空の本体の第２の端４Ａに向かって先細りする円錐台状の面６Ｂを備えている。円錐台状の面は、第１及び第２の開口（４Ａ、４Ｂ）の断面よりも小さな断面を有する出入口６Ａを形成している。
【００２６】
図６及び図７において見られるように、中空の本体２は、少なくとも２個の局所隆起部１０Ａ、１０Ｂを特徴とすることにより、ワイパ装置をガラス容器２０の首にしっかりと留める。
【００２７】
局所隆起部１０Ａ、１０Ｂは、第２の端４に近い領域、特に中空の本体の第２の端４とワイパ要素６の間に挟まれた（高さｈ１を有する）帯域でワイパ装置の外面２Ａから突出している。
【００２８】
局所隆起部１０Ａ、１０Ｂ、１０Ｃ、１０Ｄ各々は、中空の本体の外面から少し突出したドロップ形状を有しているのがよい。
【００２９】
局所隆起部は、中空の本体の外面から突出した球状キャップの形状を有しているのが好ましい。
【００３０】
実際、局所化された、したがって、中空の本体の外面の周の限られた部分のみに関する隆起部の存在は、前記中空の本体がガラス容器に挿入される工程中には、中空の本体の楕円化をもたらし、図７に見られるように、挿入が終了すると、中空の本体が弛緩して実質的に円形の形態に戻る。
【００３１】
図２に見られるように、各局所隆起部の角度の大きさΔは、５°〜３０°の間でよい。
【００３２】
中空の本体が、前記第２の端４の自由縁４Ｂに、少なくとも１個の開いた窓７を備えることにより、中空の本体を容器に挿入する間、中空の本体の弾性変形度を高めている。直径方向に向かい合う少なくとも２個の開いた窓が設けられているのが好ましい。
【００３３】
図３に見られるように、開いた窓７の各々は、傾斜した側端部を有しているのがよく、５°〜２０°の間の角度Ωだけ傾斜しているのが好ましい。
【００３４】
この実施の形態の場合には、局所隆起部１０Ａ、１０Ｂ、１０Ｃ、１０Ｄは、少なくとも１個の開いた窓７も配置されている中空の本体外面の帯域Ｆ内に、少なくとも部分的に位置しており、前記帯域は、少なくとも１個の開いた窓７の高さｈに等しい高さを有している。
【００３５】
局所隆起部の最大高さＳは、０．５〜２ｍｍの間がよい。
【００３６】
局所隆起部に対応して設けた、開いた窓の存在は、中空の本体の弾性変形度を高め、それにより、ワイパ装置をガラス容器の首に挿入するのを容易にするだけでなく、ワイパ装置がガラス容器を把持する力を強める。
【００３７】
図面において見られるように、少なくとも２個の直径方向に向かい合う開口窓７及び／又は直径方向に向かい合う対になって配置された４個の局所隆起部１０Ａ、１０Ｂ、１０Ｃ，１０Ｄが設けられているのが好ましい。
【００３８】
４個の局所隆起部は、９０°の角度間隔を置いて配置されているのが好ましい。
【００３９】
さらに、少なくとも１個の開いた窓７と少なくとも１個の局所隆起部１０Ａ、１０Ｂは、間隔を置いて配置されているのが好ましい。これは、少なくとも１個の開いた窓７は、局所隆起部１０Ａ、１０Ｂと直に隣接していないことを意味する。
【００４０】
少なくとも１個の開いた窓７と少なくとも１個の局所隆起部１０Ａ、１０Ｂは、２０°〜４５°の間の角度を置いて配置されるのが好ましく、４５°の角度を置いて配置されるのがより好ましい。
【００４１】
開いた窓と局所隆起部のこの配置は、ワイパ装置の容器への挿入及び容器内でのワイパ装置の封止の両方を最適化する。
【００４２】
開いた窓から９０°の角度で配置されるのが好ましい少なくとも１個のリブＩ又は突出部を中空の本体２の内面に設けることにより、一体成形品としてプラスチック材料からなるのが好ましいワイパ装置の成形を容易にしてもよい。そのため、２個の突出部が設けられている。
【００４３】
こうした突出部は、ワイパ装置の射出成形を非常に容易にする。
【００４４】
説明を十分なものにするには、ワイパ要素６は、前記ワイパ要素の円錐台状の表面６Ｂに形成されるのが好ましい少なくとも１個の周辺開口１８を有することを特徴としており、周辺開口は、ぬぐった流体の残りを通すのに適していることが銘記さるべきである。好ましくは、２個の周辺開口１８が設けられ、これらの周辺開口は、開いた窓７と整列し、直径方向に向かい合っている。
【００４５】
さらに、図６に見られるように、ワイパ装置の外面は、容器の口に気密に挿入されるように構成されている。したがって、ワイパ装置の外面の直径は、容器の口の直径よりも若干大きく、締まり嵌めによって容器の口に挿入され、封止状態をもたらす。
【００４６】
好ましくは封止リングの形態（より正確には「半環（ｓｅｍｉ−ｒｉｎｇ）の形態」）を有する少なくとも１個の周囲突起部２３（図１及び図３のみにおいて破線で示されている）が、中空の本体の外面（フランジの下方、より好ましくは、フランジとワイパ要素の出入口部分６Ａとの間）に設けられているのが好ましい。
【００４７】
既に述べたように、ワイパ装置１は、射出成形プラスチックからなり、一体成形品になっているのが好ましい。
【００４８】
ワイパ装置の製造に適したプラスチックには、ポリプロピレン（ＰＰ）、低密度ポリエチレン（ＬＤＰＥ）、ポリエチレン（ＰＥ）、高密度ポリエチレン（ＨＤＰＥ）、ポリアミド（ＰＡ）、ゴム、熱可塑性ポリウレタン（ＴＰＵ）、熱可塑性エラストマー（ＴＰＥ）、シリコーンなどがある。
【００４９】
以上に開示した本発明によるワイパ装置１の作用は、当業者にとって明らかであり、基本的に以下の通りである。
【００５０】
ワイパ装置１は、化粧品又は医薬品を収容するように構成されたガラス製容器の開口に強制的に押し込まれる。
【００５１】
ワイパ装置を挿入する間、ガラス製容器の開口を構成する表面と接触する局所隆起部の存在は、中空の本体の楕円化をもたらす。
【００５２】
局所隆起部は、ワイパ要素から遠く隔たった中空の本体における「下側の」帯域に位置しており、こうした変形は、ワイパ要素の出入口６Ａには影響しないので、ワイパ要素の出入口は、元の形のままであることが銘記さるべきである。
【００５３】
開いた窓７が設けられていると、より変形し易い。
【００５４】
局所隆起部が、容器の開口に向かって先細りになる容器の首の部分に達すると、前記楕円化したフィンは、弾性的に広がり、それによりワイパ装置を所定の位置にしっかりと留める。
【００５５】
より具体的には、容器の首の前記部分は、容器の肩２６と首２７との間の接合部に相当する。
【００５６】
こうして、（滴下手段３０の）ピペット３１を用いて容器内に入っている流体を取り出すことができる。
【００５７】
ワイパ要素の開口６Ａは、ピペット３１の外面を拭い、実際に、ワイパ要素からワイパ要素の外側に付着した残留流体を取り除く大きさになっている。
【００５８】
加えて、中空の本体の第１の端に近いワイパ装置の上部にある製品残留物は、ワイパ要素の円錐台状の面に設けられた上記の開口１８を通って容器に戻る。
【００５９】
ワイパ要素の流通口部分６Ａを、円錐台状の面の端に配置すること、したがって、中空の本体２の壁から「離れて」配置することは、中空の本体２が、容器の首によって中空の本体の外面に対して加えられる圧力を受けた場合にも、前記ワイパ装置の形状及び大きさを保護する。
【００６０】
これに関連し、中空の本体の内壁をワイパ要素の出入口６Ａの面から「隔てる」環状のスペース４０が設けられ、前記中空の本体を、変形及び応力の伝達から保護している。
【００６１】
本発明の種々の実施の形態を本明細書において開示してきたが、同じ発明概念を用いてさらに別の実施の形態を考え出すこともできる。
【図１】
2019122754.tif 000003
【図２】
2019122754.tif 000004
【図３】
2019122754.tif 000005
【図４】
2019122754.tif 000006
【図５】
2019122754.tif 000007
【図６】
2019122754.tif 000008
【図７】
2019122754.tif 000009
【手続補正書】
【提出日】平成31年2月22日(2019.2.22)
【手続補正１】
【補正対象書類名】明細書
【補正対象項目名】０００８
【補正方法】変更
【補正の内容】
【０００８】
他の用途においては、半硬質の要素が一端に固定された軸（ｓｔｅｍ）が封止用キャップに取り付けられ、前記塗布手段は、製品を特定の位置に集中させ、製品の局所的な塗布を可能にする。異なる塗布手段の構成が、化粧製品の外観を多様化させる可能性も伴いながら、異なる領域への塗布を可能にする。
【手続補正２】
【補正対象書類名】明細書
【補正対象項目名】００２５
【補正方法】変更
【補正の内容】
【００２５】
図１から分かるように、ワイパ要素６は、中空の本体の第２の端４Ａに向かって先細りする円錐台状の面６Ｂを備えている。円錐台状の面は、第１及び第２の開口（３Ａ、４Ａ）の断面よりも小さな断面を有する出入口６Ａを形成している。
【手続補正３】
【補正対象書類名】図面
【補正対象項目名】図１
【補正方法】変更
【補正の内容】
【図１】
2019122754.tif 000010
【外国語明細書】
2019122754000001.pdf